(57)【特許請求の範囲】
【請求項１】
平面下地と、その平面下地と交差状態に立設配置された立上下地とを備えた下地躯体に、前記平面下地と前記立上下地とにわたって防水シート取付用の下地金具を取り付け、前記下地金具上に、前記平面下地上に配置された平面防水シートと、前記立上下地上に配置された立上防水シートとの端縁部どうしを重ねて接着固定してある防水シート設置構造であって
前記下地金具の前記平面防水シート接着用の平面接着部と、前記下地金具の前記立上防水シート接着用の立上接着部との間に、前記平面防水シートも前記立上防水シートの何れをも前記下地金具に接着しない非接着部を設けてある防水シート設置構造。
【請求項２】
前記下地金具は、前記平面下地に沿って配置された平面下地対応部と、前記立上下地に沿って配置された立上下地対応部と、前記両対応部間に位置する傾斜面部とを備えて構成してあり、前記傾斜面部上に、前記非接着部を配置してある請求項１に記載の防水シート設置構造。
【請求項３】
前記下地金具は、表面に熱可塑性樹脂層を設けた樹脂被覆鋼板によって形成してある請求項１又は２に記載の防水シート設置構造。
【発明の詳細な説明】
【０００１】
【発明の属する技術分野】
本発明は、例えば、建物の屋上スラブとパラペットとの接合部分等のような隅部分での防水シート設置構造に関し、更に詳しくは、平面下地と、その平面下地と交差状態に立設配置された立上下地とを備えた下地躯体に、前記平面下地と前記立上下地とにわたって防水シート取付用の下地金具を取り付け、前記下地金具上に、前記平面下地上に配置された平面防水シートと、前記立上下地上に配置された立上防水シートとの端縁部どうしを重ねて接着固定してある防水シート設置構造に関する。
【０００２】
【従来の技術】
従来、この種の防水シート設置構造は、図１０に示すように、防水シート取付用の下地金具２０は、平面下地１Ａと立上下地１Ｂとに各別に固定してあり、前記下地金具２０の前記立上防水シート２Ｂ接着用の立上接着部２０Ｂに、立上防水シート２Ｂの下縁部を接着し、前記平面防水シート２Ａの端縁部は、前記立上防水シート２Ｂの下縁部上に重なる状態に配置してあると共に、立上防水シート２Ｂ、及び、下地金具２０の残りの露出している部分に全面接着してあった。
【０００３】
【発明が解決しようとする課題】
上述した従来の防水シート設置構造によれば、立上防水シートと平面防水シートとの継ぎ部分は、前記下地金具の全面にわたって接着してあるから相互の一体性が高く、強固に固定できるという特色がある反面、下地金具と防水シートとの一体性が高い分、下地金具に変形が生じるような場合には、前記防水シートの継ぎ部分も同様にその影響を受けることとなる。
また、下地金具は、平面下地と立上下地とにわたって一体的に固定されているから、例えば、地震等によって建物に振動や衝撃が加わり、平面下地と立上下地とが異なった状態に振動するような場合、前記下地金具には、平面下地と立上下地とから個別のベクトルの力が作用し、大きな集中荷重が作用し易い。
その結果、下地金具は、変形したり、場合によれば亀裂が発生したり破断してしまうことがあるが、それに伴って、その下地金具に全面接着してある防水シートにも同じ応力が作用し、同様に、亀裂が発生したり破断してしまい易く、たちまち防水効果が低下してしまうと言う問題点がある。
即ち、防水シートは、通常状態では、ある程度の伸びは許容できるものであるが、下地金具に全面接着してある状態では、下地金具に拘束されるから防水シート単独の伸びは許容されず、そのような環境下で下地金具に変形・亀裂・破断が発生すると、防水シートは、極めて小さい応力スパンで荷重を受けることとなり、容易に歪んだり切れたりする。
【０００４】
従って、本発明の目的は、上記問題点を解消し、下地金具に変形や亀裂が発生したり、破断しても防水シートとしての防水効果を維持し易い防水シート設置構造を提供するところにある。
【０００５】
【課題を解決するための手段】
請求項１の発明の特徴構成は、図１〜４、図７〜９に例示するごとく、平面下地１Ａと、その平面下地１Ａと交差状態に立設配置された立上下地１Ｂとを備えた下地躯体１に、前記平面下地１Ａと前記立上下地１Ｂとにわたって防水シート取付用の下地金具３を取り付け、前記下地金具３上に、前記平面下地１Ａ上に配置された平面防水シート２Ａと、前記立上下地１Ｂ上に配置された立上防水シート２Ｂとの端縁部どうしを重ねて接着固定してある防水シート設置構造において、前記下地金具３の前記平面防水シート２Ａ接着用の平面接着部３ａと、前記下地金具３の前記立上防水シート２Ｂ接着用の立上接着部３ｂとの間に、前記平面防水シート２Ａも前記立上防水シート２Ｂの何れをも前記下地金具３に接着しない非接着部３ｃを設けてあるところにある。
【０００６】
請求項１の発明の特徴構成によれば、平面防水シートは、下地金具の平面接着部を介して下地躯体に接着固定されていると共に、立上防水シートは、下地金具の立上接着部を介して下地躯体に接着固定されているから、何れの防水シートも下地躯体に対する確実な固定状態が維持されている。
更には、下地金具の平面接着部と立上接着部との間に非接着部を設けてあるから、その非接着部に対応する防水シート部分は、下地金具に拘束されることなく自由に伸縮して、応力集中を緩和することが可能となる。従って、例えば、地震等によって建物に振動や衝撃が加わり、平面下地と立上下地とが異なった状態に振動して下地金具が変形したり、亀裂が発生したり破断してしまっても、防水シートは、前記非接着部に対応する防水シート部分全体に応力分散でき、亀裂が発生したり破断してしまうのを未然に防止し易く、防水効果の維持を図ることが可能となる。
【０００７】
請求項２の発明の特徴構成は、図１〜４、図７〜９に例示するごとく、前記下地金具３は、前記平面下地１Ａに沿って配置された平面下地対応部３Ａと、前記立上下地１Ｂに沿って配置された立上下地対応部３Ｂと、前記両対応部３Ａ・３Ｂ間に位置する傾斜面部３Ｃとを備えて構成してあり、前記傾斜面部３Ｃ上に、前記非接着部３ｃを配置してあるところにある。
【０００８】
請求項２の発明の特徴構成によれば、請求項１の発明による作用効果を叶えることができるのに加えて、前記平面下地対応部と立上下地対応部との間に前記傾斜面部を介在させてあるから、下地金具の各部分相互の屈曲角度を、鈍角に形成し易くなり、その上に沿って配置される防水シートが急激な折れ曲がり姿勢になるのを防止することが可能となる。従って、防水シートの折れ曲がり部に過度な歪みが起こり難い状態に防水シートを設置することが可能となり、折れ曲がり部の耐久性の低下を防止することができる。
また、下地躯体の隅部分に、例えば、モルタル魂等が残って、表面が凸凹になっているような場合でも、前記傾斜面部の背面に空間を確保することによって、前記凸凹を除けて下地金具を設置することが可能となり、前記表面の凸凹を均すような前処理を実施することなく効率よく下地金具の取付作業を実施することが可能となる。
一方、下地金具の前記傾斜面部上は、防水シートが非接着状態であるから、例えば、その非接着部分の防水シートに切れ目を入れて簡単にその部分を除去することが可能となる。従って、既に設置してある防水シートをそのまま残しながら、その上に新しい防水シートを設置するような改修作業を実施するにあたり、前記傾斜面部上の旧防水シートに切れ目を入れて下地金具の傾斜面部を露出させ、その露出部分に、新防水シートを固定するという施工方法を採用することが可能となる。その結果、下地躯体に新たに下地金具を取り付けなくても、新しい防水シートの設置を実施することが可能となり、改修工事の実施に伴う騒音の防止、旧防水シートの廃棄処理量の軽減、改修工事の工期短縮、及び、コストダウンを叶えることが可能となる。
【０００９】
請求項３の発明の特徴構成は、前記下地金具３は、表面に熱可塑性樹脂層を設けた樹脂被覆鋼板によって形成してあるところにある。
【００１０】
請求項３の発明の特徴構成によれば、請求項１又は２の発明による作用効果を叶えることができるのに加えて、下地金具そのものが熱可塑性樹脂層によって覆われていることによって地金が露出するのを防止でき、腐食防止を図ることができると共に、防水シートを接着する際に、前記熱可塑性樹脂層を溶着（融着）層として利用することができ、より確実に防水シートを固定することが可能となる。
特に、防水シートが塩化ビニル系等の合成樹脂製の場合、下地金具の表面熱可塑性樹脂層との一体性が向上し易いから、より確実に強固に接着することが可能となる。
【００１１】
尚、上述のように、図面との対照を便利にするために符号を記したが、該記入により本発明は添付図面の構成に限定されるものではない。
【００１２】
【発明の実施の形態】
以下に本発明の実施の形態を図面に基づいて説明する。尚、図面において従来例と同一の符号で表示した部分は、同一又は相当の部分を示している。
【００１３】
図１・２は、本発明の一実施形態の防水シート設置構造を採用した建物屋上部分の外周縁部を示している。
【００１４】
屋上Ｓは、スラブ本体（平面下地に相当）１Ａと、そのスラブ本体１Ａから交差状態に立設配置されたパラペット（立上下地に相当）１Ｂとを備えた下地躯体１上に、防水層２を設けて構成してある。
そして、前記スラブ本体１Ａと前記パラペット１Ｂとでできる隅部４には、スラブ本体１Ａとパラペット１Ｂとにわたって防水シート取付用の下地金具３が固定してあり、この下地金具３上に、防水層２が接着固定してある。
【００１５】
前記下地躯体１は、当該実施形態においては複数のセメント系成形パネルを隣接状態に設置して形成してあり、その下地躯体１表面に沿って、上述の通り、防水層２を設けてある。
【００１６】
前記防水層２は、前記スラブ本体１Ａ上に配置されるスラブ用防水シート（平面防水シートに相当）２Ａと、前記パラペット１Ｂ上に配置されるパラペット用防水シート（立上防水シートに相当）２Ｂとで構成してあり、これら両防水シート２Ａ・２Ｂは、前記下地金具３上に端縁部どうしを重ねて接着固定することで連続した防水層２を構成している。
【００１７】
前記下地金具３は、前記隅部４に沿って設置自在な長尺部材として構成してあり、横断面形状は、図１・２に示すように、前記スラブ本体１Ａに沿って配置されるスラブ対応部（平面下地対応部に相当）３Ａと、前記パラペット１Ｂに沿って配置されるパラペット対応部（立上下地対応部に相当）３Ｂと、前記両対応部３Ａ・３Ｂ間に位置する傾斜面部３Ｃとからなる略「Ｌ」字形状に形成してある。
そして、前記下地金具３は、表面に塩化ビニル（熱可塑性樹脂の一例）層を設けた塩ビ鋼板（樹脂被覆鋼板の一例）によって構成してある。従って、塩化ビニル層を加熱して防水シートを熱融着したり、接着剤を用いて接着することが可能である。
因みに、前記スラブ対応部３Ａの表面部分は、前記スラブ用防水シート２Ａを接着できるスラブ接着部（平面接着部に相当）３ａであり、前記パラペット対応部３Ｂの表面部分は、前記パラペット用防水シート２Ｂを接着できるパラペット接着部（立上接着部に相当）３ｂであり、前記傾斜面部３Ｃの表面部分は、防水シートを沿わすものの接着しない状態としてある非接着部３ｃである。
前記スラブ対応部３Ａ、及び、パラペット対応部３Ｂには、当該下地金具３を下地躯体１に固定するための複数のボルト穴５を、長手方向に間隔をあけて設けてある。
従って、下地躯体１の隅部４に当該下地金具３を沿わせて配置し、前記各ボルト穴５に固定ボルト６を挿通して締め込むことで、下地金具３を下地躯体１に固定することができる。
また、下地金具３は、傾斜面部３Ｃを設けてあることで隅角部分が斜めとなり、その上に設置された防水層２が極端に折れ曲がった状態となり難く、折れ曲がり部での亀裂発生等による防水性の低下が生じるのを防止することが可能である。
【００１８】
次に、下地金具３に対する防水層２の取り付けについて説明すると、図４に示すように、
［１］  パラペット用防水シート２Ｂの下縁部を、下地金具３のパラペット接着部３ｂに接着する（図４（イ）参照）。
［２］  スラブ用防水シート２Ａの端縁部が、前記パラペット対応部３Ｂ上でパラペット用防水シート２Ｂに重なる状態に配置し、下地金具３のスラブ接着部３ａに接着する（図４（ロ）参照）。
［３］  続いて、スラブ用防水シート２Ａの端縁部を前記非接着部３ｃには付かないようにしながら、下地金具３のパラペット接着部３ｂに接着してあるパラペット用防水シート２Ｂの下縁部に重ねて接着する（図４（ハ）参照）。
【００１９】
以上のような防水シート固定構造を採用してあれば、例えば、建物への外力（例えば、地震力や風力）の作用によってスラブ本体１Ａとパラペット１Ｂとが固有の動きをし、下地金具３が図３に示すように破壊した（又は大きく撓んだ）としても、防水層２は、前記非接着部３ｃ上に重なる部分では、下地金具３とは別に伸縮変形することができ、防水層２への応力集中を回避して防止効果の維持を図ることが可能となる。
また、前記非接着部３ｃ上においては、防水シートを切り取る等の簡単な操作で、防水シートを除去して下地金具３の表面を露出させることができるから、例えば、防水層の改修工事を行うような場合でも、新たに下地金具を設置することなく、前記非接着部３ｃを露出させて、その部分に新しい防水層７を接着するといった方法を採用することが可能となる。従って、改修工事をスピーディに実施できる他、通常は金具取り付けの際に騒音（下地躯体への穴明けやアンカー打ち込み等によって生じる騒音）が生じるが、新たに下地金具を取り付ける必要がないから、工事騒音を低減することが可能となる。
【００２０】
以下に、防水層２を改修する場合の手順について説明する。
［４］  下地金具３の非接着部３ｃ上に位置する防水層２部分を切り取って前記非接着部３ｃを露出させる（図５（イ）参照）。但し、防水層２の他の部分は、そのまま残し、その上に新しい防水層７を形成する。
［５］  新しいパラペット用防水シート７Ｂをパラペット１Ｂに沿わせて設置し、その下縁部を、露出した下地金具３の非接着部３ｃに接着する（図５（ロ）参照）。
［６］  新しいスラブ用防水シート７Ａをスラブ１Ａに沿わせて設置し、その端縁部を、下地金具３のスラブ接着部３ａに接着してある前記新しいパラペット用防水シート７Ｂの下縁部上面に重ねて接着する（図５（ハ）参照）。
以上のように、防水層の改修工事を、手間を掛けずに静かに且つ効率よく実施することが可能となる。
また、このように防水層を一度改修した後、再度、改修する場合には、例えば、図６に示すように、新しい下地金具（設置してある下地金具３の傾斜面部３Ｃと同幅寸法に形成した長尺平板）８を、前記傾斜面部３Ｃ上にビス止めし、その新しい下地金具８に、最新の防水層９を固定すればよい。
このように再々改修工事を実施する場合であっても、新しい下地金具８を固定するビス１０は、下地躯体１に直接的には打ち込まれずに、下地躯体１から離間した傾斜面部３Ｃ部分に打ち込まれるから下地躯体１への振動が抑制され、騒音低減を叶えることが可能となる。
【００２１】
〔別実施形態〕
以下に他の実施の形態を説明する。
【００２２】
〈１〉  前記下地躯体は、先の実施形態で説明したスラブ本体とパラペットとによる構成に限るものではなく、平面下地と立上下地とで構成されるものすべてを指している。また、構造に関しても、複数のセメント系成形パネルを隣接状態に設置して形成してあるものに限るものではなく、例えば、鉄筋コンクリート造や、鉄骨鉄筋コンクリート造や、鉄骨造等、公知の構造を採用することができる。それらを含めて、下地躯体と総称する。
〈２〉  下地金具３への防水層２の取り付けは、熱融着や、溶剤溶着等様々な公知の接着法を採用することができる。
〈３〉  下地金具３に対する防水層２の取付構造に関しては、先の実施形態で説明したものに限るものではなく、例えば、図７に示すように、平面防水シート２Ａの端縁部は、下地金具３の平面接着部３ａに接着し、立上防水シート２Ｂの下端部を、その平面接着部３ａ上で重ねて接着する構造であってもよい。
また、図８に示すように、両防水シート２Ａ・２Ｂの重ね部分が、前記下地金具３の傾斜面部３Ｃに非接着の状態でその上に重なるように位置させてあってもよい。
更には、図９に示すように、両防水シート２Ａ・２Ｂの重ね部分が、前記下地金具３の平面接着部３ａから立上接着部３ｂにかけて位置させてあってもよい。但し、この場合も、両防水シート２Ａ・２Ｂの重なり部分は、傾斜面部３Ｃに非接着の状態である。
また、両防水シート２Ａ・２Ｂの重なり関係については、何れの防水シートが下側に重なっていてもよい。
【図面の簡単な説明】
【図１】防水シートの設置状況を示す一部切欠き斜視図
【図２】防水シートの設置状況を示す要部横断面図
【図３】防水シートの設置状況を示す要部横断面図
【図４】防水シートの設置手順を示す要部横断面図
【図５】防水シートの改修手順を示す要部横断面図
【図６】防水シートの改修手順を示す要部横断面図
【図７】別実施形態の防水シートの設置状況を示す要部横断面図
【図８】別実施形態の防水シートの設置状況を示す要部横断面図
【図９】別実施形態の防水シートの設置状況を示す要部横断面図
【図１０】従来の防水シートの設置状況を示す要部横断面図
【符号の説明】
１    下地躯体
１Ａ  平面下地
１Ｂ  立上下地
２Ａ  平面防水シート
２Ｂ  立上防水シート
３    下地金具
３Ａ  平面下地対応部
３Ｂ  立上下地対応部
３Ｃ  傾斜面部
３ａ  平面接着部
３ｂ  立上接着部
３ｃ  非接着部
【図１】
0004608130.tif 000002
【図２】
0004608130.tif 000003
【図３】
0004608130.tif 000004
【図４】
0004608130.tif 000005
【図５】
0004608130.tif 000006
【図６】
0004608130.tif 000007
【図７】
0004608130.tif 000008
【図８】
0004608130.tif 000009
【図９】
0004608130.tif 000010
【図１０】
0004608130.tif 000011